【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
経カテーテル心臓ステント弁（１０）を圧縮するための装置（４０）であって、
中におけるステントの長手方向の前進に応答して前記ステント弁を漸進的に圧縮するために形状化された内部表面（５０）を有する中空のチャネル（４２）を含み、前記中空のチャネルは、その壁を通して少なくとも１つのスロット（５８）を含み；前記装置はさらに、
前記中空のチャネルの周方向周囲の外側に嵌まる部分（６０）と、前記スロットにおいて摺動可能であり、前記スロットを通って突出して、前記ステント弁を前記中空のチャネル内において係合するための部分（５６）とを含み、前記ステント弁に前記中空のチャネルの径方向に外側から長手方向の駆動力をかけるための移動部（４４）を含む、装置（４０）。
【請求項２】
前記中空のチャネル（４２）は複数の前記スロット（５８）を含み、前記移動部は、前記スロットにおいて摺動可能であり、前記スロットを通って突出し、前記ステント弁を前記チャネル内において係合するための、対応する数の部分（５６）を含む、請求項１に記載の装置。
【請求項３】
前記中空のチャネルの前記周方向周囲の外側に嵌まる前記移動部の前記部分（６０）は、前記中空のチャネルの径方向に外側で相互接続し、前記部分（５６）は前記スロット（５８）において摺動可能である、請求項２に記載の装置。
【請求項４】
前記中空のチャネルの外部の前記移動部の部分はリング（６０）を含み、前記スロットにおいて摺動可能な前記部分は、前記リングから内方向に延在するそれぞれの枝部（５６）を含む、請求項２または請求項３に記載の装置。
【請求項５】
前記枝部は、前記リングの面に関して傾けられる、請求項４に記載の装置（４０）。
【請求項６】
前記スロットにおいて摺動可能な前記移動部の前記部分（５６）は、前記スロット内において前進する薄い前縁または表面と、前記スロットの縁部に抗して摺動する長い縁部または表面とを有するブレードとして形状化される、請求項１から５のいずれか１つに記載の装置。
【請求項７】
前記中空のチャネル（４２）の径方向に外側に取付けられるかまたは取付け可能であり、前記中空のチャネル（４２）に関して前記長手方向の駆動力を生成し、前記長手方向の駆動力を、前記チャネルの径方向に外側から、前記移動部（４４）を通して、前記中空のチャネル（４２）内のステント弁にかけるよう動作可能であるドライバ（４６）をさらに含む、請求項６に記載の装置。
【請求項８】
前記中空のチャネル（４２）の外部にねじ筋（６４）によって結合され、前記長手方向の駆動力をその回転に応答して生成するためのドライバ（４６）をさらに含む、請求項１から７のいずれか１つに記載の装置。
【請求項９】
前記ドライバ（４６）は、前記中空のチャネル（４２）の長手方向軸のまわりを回転可能である、請求項８に記載の装置。
【請求項１０】
前記中空のチャネルは入口（５２）および出口（５４）を有し、前記入口は前記出口より大きな穴径を有し、前記装置は、さらに、前記出口において使用可能であるかまたは少なくとも部分的に前記出口内に挿入可能である装填チューブ（４８）を含み、前記装填チューブは、（ｉ）前記ステント弁を装填されるデリバリーカテーテルのシースの少なくとも一部、および／または（ｉｉ）前記ステント弁の少なくとも一部を受けるための穴を有する、請求項１から９のいずれか１つに記載の装置。
【請求項１１】
前記中空のチャネルは入口（５２）および出口（５４）を有し、前記入口は前記出口より大きな穴径を有し、前記装置は、さらに、前記中空のチャネルに取り外し可能に取付け可能な装填チューブ（４８）を含み、前記装填チューブは、前記中空のチャネルの延長部分を規定するように、前記装填チューブに、前記中空のチャネルの前記出口における穴径に直径がおおよそ等しい穴を有する、請求項１から１０のいずれか１つに記載の装置。
【請求項１２】
前記中空のチャネルの前記周方向周囲の外側に嵌まる前記移動部（４４）の前記部分（６０）は、前記部分（６０）が少なくとも前記スロット（５８）の全長に沿って前記周方向周囲の外側にあるままであるように寸法決めされる、請求項１から１１のいずれか１つに記載の装置。
【請求項１３】
前記中空のチャネルの前記周方向周囲の外側に嵌まる前記移動部（４４）の前記部分（６０）は、周方向において、前記スロット（５８）の周方向幅より大きい寸法を有する、請求項１２に記載の装置。
【請求項１４】
前記移動部は、前記ステント弁の第１および第２の対向する端部間の少なくとも１つの位置において前記ステント弁を係合するように構成される、請求項１から１３のいずれか１つに記載の装置。
【請求項１５】
前記少なくとも１つの位置は、
（ｉ）前記第１および第２の端部の両方から、少なくとも５ｍｍ、好ましくは少なくとも１０ｍｍ、間隔を置かれた位置；および／または、
（ｉｉ）前記第１および第２の端部の両方から、前記ステント弁の最大長さの少なくとも１０％、好ましくは少なくとも１５％、間隔を置かれた位置から選択される少なくとも１つである、請求項１４に記載の装置。
【請求項１６】
前記内部表面は：
（ｉ）少なくとも１つの略円筒形の表面（５０ａ；５０ｃ）、および少なくとも１つの略非円筒形の表面（５０ｂ；５０ｄ）；ならびに
（ｉｉ）複数の別個の略非円筒形の表面（５０ｂ、５０ｄ）、から選択される少なくとも１つを含む、請求項１から１５のいずれか１つに記載の装置（４０）。
【請求項１７】
体内の留置部位にステント弁を送給するためのデリバリーカテーテルをさらに含み、前記デリバリーカテーテルは、前記デリバリーカテーテルに関して前記ステント弁を圧縮し装填するための装填動作の結果、前記ステント弁を圧縮した形式において受けるために、封じ込め領域において少なくとも１つの並進可能なシースを有し；さらに、
使用に先立って前記デリバリーカテーテルを収納するための梱包を含み、前記梱包は、液密の谷部を有する基部を含み、前記谷部は、前記カテーテルの前記封じ込め領域が前記装填動作中において浸漬されてもよい液体を保持するように、使用に対して好適な深さを有する、請求項１から１６のいずれか１つに記載の装置。
【請求項１８】
前記梱包は、前記基部の上側面を覆うためのカバー構成要素をさらに含む、請求項１７またはそれに従属する任意の請求項に記載の装置。
【請求項１９】
前記カバー構成要素は、前記谷部と噛み合う１つ以上の突起を有する、請求項１８に記載の装置。
【請求項２０】
前記カバー構成要素は、前記デリバリーカテーテルを前記谷部内で係合し、前記デリバリーカテーテルを前記谷部内において捕捉状態に抑制するための、１つ以上の突起を有する、請求項１８または請求項１９に記載の装置。
【請求項２１】
経カテーテル心臓ステント弁（１０）を圧縮する方法であって、任意の順序で、
（ａ）入口（５２）および出口（５４）を有する中空のチャネル（４２）を設けるステップを含み、前記中空のチャネルは、さらに、前記チャネル内におけるステント弁の長手方向の前進に応答して前記ステント弁を漸進的に圧縮するために形状化された内部表面（５０）を有し、前記方法はさらに、
（ｂ）ステント弁（１０）を前記チャネルの前記入口に挿入するステップと、
（ｃ）前記チャネルの径方向に外側から長手方向の駆動力をかけて、前記ステント弁を前記チャネル内において前記出口に向かって前進させるステップとを含む、方法。